(57)【要約】      （修正有）【課題】男性の排尿姿勢である起立姿勢からの排尿における尿飛散を抑制する排尿案内筒の提供。【解決手段】亀頭部が挿入可能な径の挿入部２および排出部３を有する筒状に形成した。【選択図】図１
0003120040.tif 000002
【実用新案登録請求の範囲】
【請求項１】
排尿時において便器に対してその尿を案内する排尿案内筒であって、
少なくとも、亀頭部が挿入可能な径の挿入部を有する筒状に形成してなることを特徴とする排尿案内筒。
【請求項２】
挿入部側から尿排出部側に向かって先窄まり状に形成していることを特徴とする請求項１に記載の排尿案内筒。
【請求項３】
尿排出部径を挿入部よりも小径としていることを特徴とする請求項１に記載の排尿案内筒。
【請求項４】
水洗トイレに流すことができる紙材を、排尿時における尿によって破損・変形しない程度の厚みにして、筒状に形成してなることを特徴とする請求項１乃至請求項３いずれか１項に記載の排尿案内筒。
【請求項５】
水洗トイレに流すことができる紙材に、排尿時における尿によって溶解しない程度の量の水溶性の糊を添加し、当該紙材を筒状に形成してなることを特徴とする請求項１乃至請求項３いずれか１項に記載の排尿案内筒。
【考案の詳細な説明】
【技術分野】
【０００１】
本考案は、排尿時における尿の便器縁や便器外への飛散を抑制するための排尿案内筒に関する。
【背景技術】
【０００２】
男性の排尿姿勢においては、女性の排尿姿勢とは異なり、起立姿勢であるため尿道口と便器との距離が遠くなる上、狙いが定め難く、尿が便器縁や便器外へ飛散しやすいものであり、飛散した尿により便器や便器周りを汚してしまいがちであった。
【考案の開示】
【考案が解決しようとする課題】
【０００３】
本願出願人は、男性の排尿姿勢である起立姿勢からの排尿における尿飛散の抑制という観点から鋭意研究の結果、本願考案に至ったものである。
なお、尿飛散抑制に関する先行技術文献情報については、本願出願人の知る限りにおいて存在していない。
【０００４】
本考案は、男性の排尿姿勢である起立姿勢からの排尿における尿飛散の抑制を課題とし、この課題を解決した排尿案内筒を新規に提供することを目的とする。
【課題を解決するための手段】
【０００５】
本考案は、上記目的を達成するために下記の技術的手段を採用した。
第１考案は、排尿時において便器に対してその尿を案内する排尿案内筒であって、少なくとも、亀頭部が挿入可能な径の挿入部を有する筒状に形成してなることを特徴とする排尿案内筒にした。
【０００６】
本考案の排尿案内筒は、少なくとも筒状であれば良いが、尿の飛散をより確実に行うという観点から、例えば、第２考案のように、挿入部側から尿排出部側に向かって先窄まり状に形成している形態や、第３考案のように、尿排出部径を挿入部よりも小径としている形態が好ましい。
又、第２考案の形態の排尿案内筒では、先端側（小径側）を切断した略円錐形状としているので、例えば、複数の紙コップが重なる形態と同様に重ねることができるため、収納という点において有利である。
【０００７】
本考案の排尿案内筒の素材に関しては、紙材、プラスチック、塩化ビニール等が挙げられるが、より清潔に使用するという観点から使い捨てが好ましく、この使い捨ての構成として、例えば、第４考案のように、水洗トイレに流すことができる紙材を、排尿時における尿によって破損・変形しない程度の厚みにして、筒状に形成してなるものや、第５考案のように、水洗トイレに流すことができる紙材に、排尿時における尿によって溶解しない程度の量の水溶性の糊を添加し、当該紙材を筒状に形成してなるものが好ましい。
【０００８】
前記水洗トイレに流すことができる紙材とは、トイレットペーパーやトイレ用ティッシュペーパー、更には、水洗トイレに流せる便器拭き用ペーパー等と同等の素材からなる紙材である。
【考案の効果】
【０００９】
本考案の排尿案内筒によれば、下記の優れた効果が期待できる。
第１考案によれば、排尿時において排尿案内筒に亀頭を挿入することによって、実質的に尿道口が便器に近づくことになるとともに、排尿案内筒によって狙いが定め易くなり、かつ、尿が排尿案内筒に案内されて排尿されるので、尿の便器縁や便器外への飛散を抑制できる。
したがって、男性の排尿姿勢である起立姿勢からの排尿における尿飛散の抑制ができる排尿案内筒を新規に提供することができる。
【００１０】
又、第２考案及び第３考案によれば、挿入部側から尿排出部側に向かって尿が集束されるので、尿排出部から排出される尿の拡散を抑制することができる。
更に、第２考案では、多数の排尿案内筒を重ねることができるので、収納性の向上が期待できる。
【００１１】
又、第４考案及び第５考案によれば、使用後の排尿案内筒をトイレに流すことができるため、常に清潔、且つ新しい排尿案内筒を使用することができる。
【考案を実施するための最良の形態】
【００１２】
以下、本考案の排尿案内筒を実施するための最良の形態を図１及び図２に基づいて説明する。
本形態の排尿案内筒１は、トイレットペーパーに使用される紙材をおよそ１ｍｍ〜２ｍｍ程度の厚みとし、この紙材をおよそ１５ｃｍ〜２０ｃｍの長さの先細り状の筒状に形成したものである。
【００１３】
更に、具体的には、前記排尿案内筒１は、後端部を亀頭が挿入される挿入部２とし、先端部を尿が排出される排出部３としたものであり、前記挿入部２側から排出部３側に向かって先細り状の筒状に形成している。
又、挿入部２の径をおよそ３ｃｍ〜４ｃｍ程度の径とし、排出部３の径を５ｍｍ〜１ｃｍ程度の径としている。
【００１４】
このような排尿案内筒１は、排尿時において亀頭を挿入部２に挿入し、排出部３を便器のボール面に狙いを定めた後に排尿を行い、排尿後に排尿案内筒１を外してトイレに廃棄し、尿と一緒に流すことができる。
又、排尿案内筒１の収納形態は、図２に示すように、挿入部２を下向に、排出部３を上向にして、複数の排尿案内筒１相互を上下に被せるように重ねて収納しておくことにより、それほど場所もとらず収納することができるし、使用時において１個毎にとりやすい。
【００１５】
又、他の収納形態としては、例えば、飲み物の自動販売機等に隣接する複数の紙コップを１個毎に取ることができるように収納する収納器を利用して収納しても良い（図示せず）。
【００１６】
図３は、排尿案内筒１の他の形態を示している。
この排尿案内筒１は、トイレットペーパーに使用される紙材をおよそ１ｍｍ〜２ｍｍ程度の厚みとし、この紙材をおよそ１５ｃｍ〜２０ｃｍの長さの略漏斗状に形成したものであり、挿入部２側の大径部２１と排出部３側の小径部３１とから構成されている。
更に、具体的には、大径部２１及び小径部３１は、共に、挿入部２側から排出部３側に向かって先細り状とし、挿入部２の径をおよそ３ｃｍ〜４ｃｍ程度の径とし、排出部３の径を５ｍｍ〜１ｃｍ程度の径としている。
【００１７】
このような排尿案内筒１においても、排尿時において亀頭を挿入部２に挿入し、排出部３を便器のボール面に狙いを定めた後に排尿を行い、排尿後に排尿案内筒１を外してトイレに廃棄し、尿と一緒に流すことができる。
又、本形態の排尿案内筒１においても、挿入部２を下向に、排出部３を上向にして、複数の排尿案内筒１相互を上下に被せるように重ねて収納しておくことにより、それほど場所もとらず収納することができるし、使用時において１個毎にとりやすくすることができる（図示せず）。
【００１８】
前記で例示した排尿案内筒は、いずれも、素材として、トイレットペーパーに使用される紙材を用い、これをおよそ１ｍｍ〜２ｍｍ程度の厚みとして筒状に形成することで、排尿案内筒を水洗トイレに流せるようにしたものであるが、他の素材として、トイレ用ティッシュペーパー、更には、水洗トイレに流せる便器拭き用ペーパー等と同等の素材からなる紙材を用い、この紙材を前記した厚みとして筒状に形成しても良い。
又、水洗トイレに流せるようにした排尿案内筒の他の構成として、前記各素材の紙材に排尿時における尿によって溶解しない程度の量の水溶性の糊を添加し、これを前記各形態と同様の筒状に形成したものが挙げられる。
又、前記で例示した排尿案内筒は、いずれも先細り状に形成したものであるが、寸胴状の筒状に形成した排尿案内筒にしても良い。
【００１９】
なお、本願考案は、例示した実施の形態に限定するものではなく、実用新案登録請求の範囲に記載された内容から逸脱することなく、他の構成による実施も可能である。
【図面の簡単な説明】
【００２０】
【図１】本考案に係る排尿案内筒の斜視図。
【図２】収納状態を示す断面図。
【図３】本考案に係る他の例の排尿案内筒の斜視図。
【符号の説明】
【００２１】
１：排尿案内筒
２：挿入部
３：排出部
２１：大径部
３１：小径部
【図１】
0003120040.tif 000003
【図２】
0003120040.tif 000004
【図３】
0003120040.tif 000005